(57)【特許請求の範囲】
【請求項１】
文房具の筆記用具として使用するボールペンの外筒本体（１）は、四角形の棒状形とし、内部にインキ収納管（２）を挿入させ、ボールペン頭部（３）を本体頭部ねじ切り込み部（４）に取り付け固定させて筆記用具として使用するが、インキ収納管（２）の届いていない範囲における相対する二面の外筒部分に透明な材料で作る長方形の凸レンズ（５−ａ）の拡大鏡部分（５）を併設し、小さな文字でもメガネの使用に頼らずに確認が可能になる事を特徴とする四角形外筒ボールペン。
【請求項２】
請求項１に記載の四角形外筒ボールペンにおいて、拡大鏡部分（５）の空洞部に透明な液体を満たして小さな擬似魚や造花やカラー金属片及び反射板片を閉じ込めた密封水槽（５−ｂ）を嵌め込み、ボールペンを動かす度に液体の中の物が移動や反射をし、その位置によって大きさが変化する事を特徴とする四角形外筒ボールペン。
【請求項３】
請求項１又は２に記載の四角形外筒ボールペンにおいて、外筒本体（１）四面の頭部、後部及び中央部前後に一面に付き４ヵ所、全体で１６ヶ所の入り口部より奥が拡がっている連結用穴（７）があいており、外筒本体の尾部面はボールペン頭部（３）を差し込む本体頭部と同じねじ切り込み形状の付いた尾栓（８）を嵌め込んで取り付け、ボールペンとしての機能が無くなった後でも外筒本体（１）はピン連結具を使用して接合が可能であり、子供の玩具として又部屋のインテリア材料としての再利用ができる事を特徴とする四角形外筒ボールペン。
【発明の詳細な説明】
【技術分野】
【０００１】  本発明は文房具であるボールペンに関するものである。
【背景技術】
【０００２】  従来、文房具であるボールペンの外筒は、指での持ち易さ等から従来の鉛筆と同じ様に六角形又は円形の物が主体であり、内部に収納するインキ収納管のインキが無くなるか又はインキが出なくなれば筆記用具としての用を成さなくなり、部材として考えた場合まだ充分使える外筒も一緒に廃棄処分される事が一般的である。
【発明の開示】
【発明が解決しようとする課題】
【０００３】  文房具であるボールペンは、筆記用具としてだけ考えられている為に外筒の中に挿入されるインキ収納管のインキが無くなるか出なくなったりした場合は、インキ収納管だけでなく外筒も含めて廃棄処分される等の課題があった。
本発明は、これらの問題点を解決するためになされたものである。
【課題を解決するための手段】
【０００４】  本発明の四角形外筒ボールペンは、上記問題点を解決するために案出されたものである。請求項１の四角形外筒ボールペンは、文房具の筆記用具として使用するボールペンの外筒本体（１）は、四角形の細長い形状とし、内部にインキ収納管（２）を挿入させ、ボールペン頭部（３）を本体頭部ねじ切り込み部（４）に取り付けて固定させて筆記用具として使用するが、インキ収納管（２）挿入部以後の外筒本体の相対する二面の外板部分を長方形のアクリル等の透明な材料で作る長方形の凸レンズ（５−ａ）の拡大鏡部分（５）を併設し、小さな文字などの確認がメガネの使用に頼らずに可能になる事を特徴とする。【０００５】  請求項２の四角形外筒ボールペンは、請求項１に記載の四角形外筒ボールペンにおいて、拡大鏡部分（５）の空洞部に透明な液体を満たして小さな擬似魚や造花やカラー金属片及び反射板片などを閉じ込めた密封水槽（５−ｂ）を嵌め込み、ボールペンを動かす度に液体の中の物が移動や反射をし、かつその位置によって大きさが変化する事で、見て楽しめる事を特徴とする。【０００６】  請求項３の四角形外筒ボールペンは、請求項１及び２に記載の四角形外筒ボールペンにおいて、拡大鏡部分（５）として使用する２面以外の面の全体に、スケール機能を持たせるための寸法表示（６）をし、一面を縮尺１／１とした場合、別の面の縮尺を１／２や１／３、１／５等とする縮尺付スケールや尺貫法及びインチ法などメートル法以外の寸法等を表示し又線を引く為の定規等としても使用できる事を特徴とする。【０００７】  請求項４の四角形外筒ボールペンは、請求項１、２及び３に記載の四角形外筒ボールペンにおいて、外筒本体（１）四面の頭部、後部及び中央部前後に一面に付き４ヵ所、全体で１６ケ所の入り口部より奥が拡がっている連結用穴（７）があいており、外筒本体の尾部面はボールペン頭部（３）を差し込む本体頭部と同じねじ切り込み形状の付いた尾栓（８）を嵌め込んで取り付け、ボールペンとしての機能が無くなった後でも外筒本体（１）は各種の連結具を使用してブロック玩具のように並列や段違い並列及び連結や直交の接合が可能であり、子供の玩具として又部屋のインテリア材料としての再利用ができる事を特徴とする。【０００８】  請求項５の四角形外筒ボールペンは、請求項１、２、３及び４に記載の四角形外筒ボールペンにおいて、外筒本体（１）を玩具として、又部屋のインテリア材料として利用する場合の連結具として縦列連結する場合に使用するネジ連結具（９）は、全体が凸ネジで先端両面にドライバー用の切り込み（９−ａ）があり、外筒本体（１）の頭部及び尾部にある凹ネジ部分に半分づつ潜り込んで連結し、並列又は直交しての密着連結する場合に使用するピン連結具（１０）は、硬質ゴム系又は軟質プラスチック系の材質で外筒本体（１）にある奥が拡がっている連結用穴（７）に入る大きさの団子が二つ繋がっている形状であり、片方づつを連結するお互いの外筒本体連結用穴（７）に押し入れる事で密着した連結が出来、外筒本体（１）両端部面と側面とを接合する場合に使用する片ネジ片ピン連結具（１１）はネジ連結具（９）とピン連結具（１０）が半分ずつになっており、同じく並列で曲面に連結する場合に��用する曲線用連結具（１２）は、ピン連結具（１０）の団子が二つ繋がっている中央に首部を付け、外筒本体どうしに隙間が生じる連結の場合でも首の長さの合った連結具を使う事等で自由な形の製作に対応できる事を特徴とする。
【発明の効果】
【０００９】  本発明は以下に記載の様な効果を奏する。
（イ）本発明の四角形外筒ボールペンは、外筒本体の相対する二面の外板部分を長方形のアクリル等の透明な材料で作る長方形の凸レンズ（５−ａ）の拡大鏡部分（５）がある為に、書類などに細かくて見え難い文字があった場合でも、わざわざメガネを使用しなくても文字を読んで確認ができる。又拡大鏡部分が細長い形状の為に読みたい列の文字だけを拡大できる為に文章として読みやすい。
（ロ）本発明の四角形外筒ボールペンは、拡大鏡部分（５）の空洞部分に透明な液体を満たして小さな擬似魚や造花やカラー金属片及び反射板片などを閉じ込めた密封水槽（５−ｂ）を嵌め込み、ボールペンを動かす度に液体の中の物が移動や反射をし、かつその位置によって大きさが変化する事で、筆記用具としてだけではなく視覚的安らぎも与えられる文房具として楽しむ事ができる。
（ハ）本発明の四角形外筒ボールペンは、インキ収納管（２）のインキが無くなったり途中で出なくなったりして筆記用具としての機能が無くなった後でも、外筒本体（１）は廃棄処分する事無く縮尺付スケールや定規として、又ブロック玩具やインテリア品製作材料等としての有効利用ができる。
（二）本発明の四角形外筒ボールペンは、専用の各種連結具を使う事で外筒本体（１）の連結方法は広く、又外筒本体が薄い着色や透明性の材質で作りかつ拡大鏡部分を有する為に、この方法により作り出されるインテリア作品は四角い箱物や曲線の箱物、ランプシェードやシャンデリア等光を利用した物等と、いろいろな作品つくりが可能である。
【発明を実施するための最良の形態】
【００１０】  以下、本発明の実施の形態について説明する。
（イ）図１は、本発明の四角形外筒ボールペンの全体分解斜視図である。文房具の筆記用具として使用するボールペンの外筒本体（１）は、四角形の細長い形状とし、内部にインキ収納管（２）を挿入させ、ボールペン頭部（３）を本体頭部ねじ切り込み部（４）に取り付けて固定させて筆記用具として使用するが、インキ収納管（２）挿入部以後の外筒本体の相対する二面の外板部分を長方形のアクリル等の透明な材料で作る長方形の凸レンズ（５−ａ）の拡大鏡部分（５）を併設し、小さな文字などの確認がメガネの使用に頼らずに可能になり、拡大鏡部分（５）の空洞部に透明な液体を満たして小さな擬似魚や造花やカラー金属片及び反射板片などを閉じ込めた密封水槽（５−ｂ）を嵌め込み、ボールペンを動かす度に液体の中の物が移動や反射をし、かつその位置によって大きさが変化する事で見て楽しめる。又拡大鏡部分（５）として使用する２面以外の面の全体に、スケール機能を持たせるための寸法表示（６）をし、一面を縮尺１／１とした場合、別の面の縮尺を１／２や１／３、１／５等とする縮尺付スケールや尺貫法及びインチ法などメートル法以外の寸法等を表示し、又線を引く為の定規等としても使用できる。さらに外筒本体（１）四面の頭部、後部及び中央部前後に一面に付き４ヵ所、全体で１６ケ所の入り口部より奥が拡がっている連結用穴（７）があいており、外筒本体の尾部面はボールペン頭部（３）を差し込む本体頭部と同じねじ切り込み形状の付いた尾栓（８）を嵌め込んで取り付け、ボールペンとしての機能が無くなった後でも外筒本体（１）は各種の連結具を使用してブロック玩具のように並列や段違い並列及び連結や直交の接合が可能であり、子供の玩具として又部屋のインテリア材料としての再利用ができる。ボールペンキャップ（１３）は外筒本体（１）にかかる部分は四角形になっていてポケットなどに挟めるように挟み込み用フック（１４）が付いている。
（ロ）図２は、本発明の四角形外筒ボールペンの各部断面図である。Ａ中央部断面は、外筒本体の外部各面に連結用穴（７）があり、芯中央にはボールペン頭部（３）の凸部ネジ部分が入り込む本体頭部ねじ切り込み部（４）がある。Ｂ断面は、内部が丸く空洞になっていてインキ収納管（２）が入る。Ｃ中央部断面は、Ｂ断面同様の丸い空洞があり外筒本体の外部各面には連結用穴（７）が付いている。Ｄ断面は、拡大鏡部分（５）となる為に上下二面の外部が長方形の凸レンズ（５−ａ）状に曲面になり、内部の空洞部は凸レンズ効果と連結用穴設置の関係から各面の中央部が収縮した形状の四角形の空洞をあけ、小さな文字などを拡大して見る事ができる。又この空洞部には透明な液体を満たして小さな擬似魚や造花やカラー金属片及び反射板片などを閉じ込めた密封水槽（５−ｂ）を嵌め込む空間となる。Ｅ中央部断面は外筒本体（１）の最後部で本体頭部と同じねじ切り込み形状の付いた尾栓（８）を嵌め込んでおり、外筒本体の外部各面に連結用穴（７）がある。各断面共、拡大鏡部分とする二面以外の面はスケール機能を持たせるための寸法表示（６）をし、寸法表示用の面として使用できる。
（ハ）図３は、本発明の四角形外筒ボールペンの連結具及び接合断面である。外筒本体（１）同士を連結用穴（７）を使って密着して並列に接合させる場合は、硬質ゴム系又は軟質プラスチック系の材質で作った連結用穴（７）に入る大きさの団子が二つ繋がっている形状のピン連結具（１０）を使う。又曲面状に並列に接合させる場合は外筒本体（１）同士は隙間を開けて角度を付ける必要から、ピン連結具（１０）の団子が二つ繋がっている中央に首部を付けた曲線用連結具（１２）を使う事で自由な角度の曲線形の製作に対応できる。
（二）図４は、本発明の四角形外筒ボールペンの連結具及び接合断面である。外筒本体（１）同士を縦に接続する場合は、全体が凸ネジで先端両面にドライバー用の切り込み（９−ａ）があり、外筒本体（１）の頭部及び尾部にある凹ネジ部分に半分づつ潜り込んで連結するネジ連結具（９）を使用する。又外筒本体（１）の端部と横部を接合する場合には、ネジ連結具（９）とピン連結具（１０）が半分ずつになっている片ネジ片ピン連結具（１１）を使う。
（ホ）図５は、本発明の四角形外筒ボールペンを各種連結具を使い組み立てた姿図である。外筒本体（１）の各部材をいろいろなケースで接合させる場合、どの連結具を使うかを示している。
（ヘ）図６は、本発明の四角形外筒ボールペンを箱型及び丸型に組み立てた姿図であるピン連結具（１０）を使って作る角柱ボックス（１５）と曲線用連結具（１２）を使って作る円柱ボックス（１６）である。
【実施例１】
【００１１】図１に示すように、文房具の筆記用具として使用するボールペンの外筒本体（１）は、多少指に馴染み難い四角形の形状であるが、金融機関や役所等の窓口で書く書類では使用する時間は極めて短時間であり問題は無いと考えられる。書類の説明文は所定のスペースの中に、より詳しい説明が要求されている事などから、小さくて読みにくい文字が増えてきている。しかしボールペン自体に細長い拡大鏡部分（５）が付いている事で、簡単な説明文程度はわざわざメガネなどを使用しないでも読み取る事が可能になる。又、外筒本体（１）自体にスケール機能を持たせる為の各種の寸法表示（６）をしてあり線を引く為の定規等としても使用できる。さらに拡大鏡部分（５）の空洞部に透明な液体を満たして小さな擬似魚や造花やカラー金属片及び反射板片などを閉じ込めた密封水槽（５−ｂ）を嵌め込み、ボールペンを動かす度に液体の中の物が移動や反射をし、かつその位置によって大きさが変化する事で見て楽しめる事も出来る。贈答品として活用する場合は、外面にＰＲ文字を表示したり密封水槽（５−ｂ）内に文字を挿入させる事も可能である。又筆記用具としての機能が無くなった後でも、外筒本体（１）は廃棄処分する事無く縮尺付スケールや定規として、又図５及び図６の様にいろいろな形状に接合できる事でブロック玩具やインテリア品製作材料等としての有効利用ができる。
【図面の簡単な説明】
【００１２】
【図１】本発明の四角形外筒ボールペンの全体分解斜視図である。
【図２】本発明の四角形外筒ボールペンの各部断面図である。
【図３】本発明の四角形外筒ボールペンの連結具及び接合断面である。
【図４】本発明の四角形外筒ボールペンの連結具及び接合断面である。
【図５】本発明の四角形外筒ボールペンを各種連結具を使い組み立てた姿図である。
【図６】本発明の四角形外筒ボールペンを箱型及び丸型に組み立てた姿図である。
【符号の説明】
【００１３】  １      外筒本体
２      インキ収納管
３      ボールペン頭部
４      本体頭部ねじ切り込み部
５      拡大鏡部分
５−ａ  長方形の凸レンズ
５−ｂ  密封水槽
６      寸法表示
７      連結用穴
８      尾栓
９      ネジ連結具
９−ａ  ドライバー用の切り込み
１０      ピン連結具
１１      片ネジ片ピン連結具
１２      曲線用連結具
１３      ボールペンキャップ
１４      挟み込み用フック
１５      角柱ボックス
１６      円柱ボックス
【図１】
0004437776.tif 000002
【図２】
0004437776.tif 000003
【図３】
0004437776.tif 000004
【図４】
0004437776.tif 000005
【図５】
0004437776.tif 000006
【図６】
0004437776.tif 000007